(57)【要約】【課題】ユニバーサル・シリアル・バス（ＵＳＢ）標準電子装置用のデータ記憶カードが、突起が衝撃を受けることについての心配が無く、プレーンＵＳＢモジュールのより低処理コストで、大きさがより小さく、指定の挿入方向がない移動の容易さを提供すること【解決手段】  ユニバーサル・シリアル・バス（ＵＳＢ）標準電子装置用のデータ記憶カードが開示される。データ記憶カードは、プレーンＵＳＢモジュール、記憶モジュール、及びマイクロコントローラを有する。プレーンＵＳＢモジュールは、ＵＳＢ標準電子装置を接続するために対称的に回路ボード上に形成される。記憶モジュールは、回路ボード上に設けられ、データを記憶するために、プレーンＵＳＢモジュールに接続される。マイクロコントローラは、回路ボード上に設けられ、記憶モジュールとＵＳＢ標準電子装置との間での記憶モジュールのデータの読込みと読出しを制御するために記憶モジュールに接続される。このように、記憶カードは、挿入方向を指定することなくＵＳＢ標準電子装置に配置される。【選択図】    図２
2006216010.tif 000002
【特許請求の範囲】
【請求項１】
ユニバーサル・シリアル・バス（ＵＳＢ）標準電子装置用のデータ記憶カードであって、
回路ボードを備え、この回路ボードは、回路ボード上に形成される、ＵＳＢ標準電子装置用のプレーンＵＳＢモジュールと、
回路ボードに設けられ且つプレーンＵＳＢモジュールに接続される、データ記憶用の記憶モジュールと、
回路ボードに設けられ、且つ記憶モジュールとＵＳＢ標準電子装置との間でお記憶モジュールのデータの読込み及び読出しを制御するために記憶モジュールに接続されるマイクロコントローラと、を備える、ユニバーサル・シリアル・バス（ＵＳＢ）標準電子装置用データ記憶カード。
【請求項２】
ＵＳＢ標準電子装置は、携帯電子装置、デジタルカメラ、コンピュータ装置、及びノートブック型コンピュータ装置からなる群の一つから選択される、請求項１に記載のユニバーサル・シリアル・バス（ＵＳＢ）標準電子装置用データ記憶カード。
【請求項３】
プレーンＵＳＢモジュールは、回路ボード上に直接配される、請求項１に記載のユニバーサル・シリアル・バス（ＵＳＢ）標準電子装置用データ記憶カード。
【請求項４】
プレーンＵＳＢモジュールは、５つのホームセンタ（ｈｏｍｅｃｅｎｔｒｉｃ）サークルを有し、ＵＳＢ標準電子装置は、各々５つのホームセンタサークルに対応する、５つの電極を有するコネクタを備える、請求項１に記載のユニバーサル・シリアル・バス（ＵＳＢ）標準電子装置用データ記憶カード。
【請求項５】
５つのホームセンタサークルは、外側から内側へ配置されるＧＮＤ接点、Ｄ+接点、Ｄ-接点、ＶＢＵＳ接点、及びのＩＤ接点であり、且つ５つの電極は、ＧＮＤ電極、Ｄ+電極、Ｄ-電極、ＶＢＵＳ電極、及びＩＤ電極である、請求項４に記載のユニバーサル・シリアル・バス（ＵＳＢ）標準電子装置用データ記憶カード。
【請求項６】
プレーンＵＳＢモジュールは、５本のフィンガーを有し、ＵＳＢ標準電子装置は、各々、前記５本のフィンガーに対応する５つの電極を有するコネクタを備える、請求項１に記載のユニバーサル・シリアル・バス（ＵＳＢ）標準電子装置用データ記憶カード。
【請求項７】
前記５本のフィンガーは、ＧＮＤ接点、Ｄ+接点、Ｄ-接点、ＶＢＵＳ接点、及びＩＤ接点であり、且つ５つの電極は、ＧＮＤ電極、Ｄ+電極、Ｄ-電極、ＶＢＵＳ電極、及びＩＤ電極である、請求項６に記載のユニバーサル・シリアル・バス（ＵＳＢ）標準電子装置用データ記憶カード。
【請求項８】
前記記憶モジュールは、不揮発性メモリ、フラッシュメモリ、ＮＡＮＤフラッシュメモリ、ＮＯＲフラッシュメモリ、ＡＮＤフラッシュメモリ、マスクリードオンリメモリ（マスクＲＯＭ）、消去可能プログラマブルＲＯＭ（ＥＰＲＯＭ），電気的消去可能プログラマブルＲＯＭ（ＥＥＰＲＯＭ），ワンタイムプログラマブル（ＯＴＰ）メモリ、マルチタイムプログラマブル（ＭＴＰ）メモリ、スタティックランダムアクセスメモリ（ＳＲＡＭ）、ダイナミックランダムアクセスメモリ（ＤＲＡＭ），同期ダイナミックＲＡＭ（ＳＤＲＡＭ），ダブルデータレートダイナミックランダムアクセスメモリ（ＤＤＲ  ＤＲＡＭ）、ランダムアクセスメモリバスダイナミックランダムアクセスメモリ（ＲＡＭバスＤＲＡＭ）、磁気ランダムアクセスメモリ（ＭＲＡＭ）、ＲＡＭ  ＢＵＳ、及び強誘電体ランダムアクセスメモリ（ＦＲＡＭ）からなる群の一つから選択される、請求項１に記載のユニバーサル・シリアル・バス（ＵＳＢ）標準電子装置用データ記憶カード。
【請求項９】
マイクロコントローラは、プレーンＵＳＢモジュールがＵＳＢ標準電子装置に正しく接続すると、記憶モジュールに記憶されたデータをＵＳＢ標準電子装置に送信するためのＵＳＢ／オンザゴー（ＯＴＧ）シリアルインターフェースエンジンを有する、請求項１に記載のユニバーサル・シリアル・バス（ＵＳＢ）標準電子装置用データ記憶カード。
【請求項１０】
プレーンＵＳＢモジュールがＵＳＢ標準電子装置に正しく接続すると記憶モジュールに記憶されたデータをＵＳＢ標準電子装置に送信するためのＵＳＢ／オンザゴー（ＯＴＧ）シリアルインターフェースエンジンを更に備える、請求項１に記載のユニバーサル・シリアル・バス（ＵＳＢ）標準電子装置用データ記憶カード。
【請求項１１】
プレーンＵＳＢモジュールに対応し、それを露出するための開口を有する、回路ボードを収容するためのカードハウジングを更に備える、請求項１に記載のユニバーサル・シリアル・バス（ＵＳＢ）標準電子装置用データ記憶カード。
【請求項１２】
前記カードハウジングは、書込み保護用のスイッチを備える、請求項１１に記載のユニバーサル・シリアル・バス（ＵＳＢ）標準電子装置用データ記憶カード。
【請求項１３】
前記カードハウジングは、複数の位置決めされたスロットを備える、請求項１１に記載のユニバーサル・シリアル・バス（ＵＳＢ）標準電子装置用データ記憶カード。
【請求項１４】
前記カードハウジングは、ほぼ回路ボード全体を収容する、請求項１に記載のユニバーサル・シリアル・バス（ＵＳＢ）標準電子装置用データ記憶カード。
【請求項１５】
前記カードハウジングは、回路ボードの一方の側を被覆し、回路ボードの他方の側は、絶縁フィルムによって被覆される、請求項１に記載のユニバーサル・シリアル・バス（ＵＳＢ）標準電子装置用データ記憶カード。
【請求項１６】
プレーンＵＳＢモジュールの数は、２つ以上である、請求項１に記載のユニバーサル・シリアル・バス（ＵＳＢ）標準電子装置用データ記憶カード。
【発明の詳細な説明】
【技術分野】
【０００１】
本発明は、ユニバーサル・シリアル・バス標準電子装置用データ記憶カードに関する。
【背景技術】
【０００２】
一般的に、人々は、物事を紙、記憶デバイス等の媒体に書き込むことによって、物事を記録する。従って、異なるタイプのデータ記憶デバイスが市場において製造されている。異なるタイプのデータ記憶デバイス、例えば、メモリースティック（登録商標）（ＭＳ）デバイス、スマートメディア（登録商標）（ＳＭ）デバイス、マルチメディア（ＭＭ）デバイス、エクストリームデジタル（ＸＤ）デバイス、機密保護デジタル（ＳＤ）デバイス、コンパクトフラッシュ（登録商標）（ＣＦ）デバイス、ユニバーサル・シリアル・バス（ＵＳＢ）デバイス等がある。ＵＳＢデバイスのみがホットプラグ（ｈｏｔ−ｐｌｕｇｇｉｎｇ）機能を有するが、他のデータ記憶デバイスは、コンピュータに接続され、コンピュータによって読み込まれることが出来る形態に信号を変換するリーダを必要とする。そして、リーダは、異なるデータ記憶デバイスに適合するように互いに異なっている。このように、消費者は、同じ標準を使用するリータとデータ記憶デバイスを選択して購入する必要があるか、或いは非常に多くのリーダとデータ記憶デバイスが必要となる。標準であるとの理由で、人々は、最近では、他のタイプのデータ記憶デバイスの代わりにＵＳＢデバイスを使用している。
【０００３】
更に、ＵＳＢデバイスは、小さい、繰り返し書き込める、及び従来のディスクと比較してより大きな容量を有することの利点を有する。図１は、ＵＳＢデバイスの構造を示し、ＵＳＢデバイス１０は、ＵＳＢ標準携帯電子装置のコネクタへの接続のため及びデータ読取のためのＵＳＢプラグ１１を有する。しかしながら、ＵＳＢプラグ１１は、携帯電子装置に接続されると、ＵＳＢデバイスは、挿入の代わりに携帯電子装置から突出して、衝撃が発生し易く、ＵＳＢデバイスの故障を引き起こす。また、突出している外観は、見栄えが良くない。
【０００４】
幾つかのタイプのデータ記憶デバイスは、携帯電子装置のコネクタへの接続のためのゴールデンフィンガーデザインを有する。しかしながら、ゴールデンフィンガーデザインは、ＵＳＢ標準では使用されない。
【発明の開示】
【発明が解決しようとする課題】
【０００５】
本発明の目的は、ユニバーサル・シリアル・バス（ＵＳＢ）標準電子装置用のデータ記憶カードが、突起が衝撃を受けることについての心配が無く、プレーンＵＳＢモジュールのより低処理コストで、大きさがより小さく、指定の挿入方向がない移動の容易さを提供することである。
【課題を解決するための手段】
【０００６】
本願の第１発明は、ユニバーサル・シリアル・バス（ＵＳＢ）標準電子装置用のデータ記憶カードであって、回路ボードを備え、この回路ボードは、回路ボード上に形成される、ＵＳＢ標準電子装置用のプレーンＵＳＢモジュールと、
回路ボードに設けられ且つプレーンＵＳＢモジュールに接続される、データ記憶用の記憶モジュールと、回路ボードに設けられ、且つ記憶モジュールとＵＳＢ標準電子装置との間でお記憶モジュールのデータの読込み及び読出しを制御するために記憶モジュールに接続されるマイクロコントローラと、を備える、ユニバーサル・シリアル・バス（ＵＳＢ）標準電子装置用データ記憶カードである。
【０００７】
本願の第２発明は、ＵＳＢ標準電子装置は、携帯電子装置、デジタルカメラ、コンピュータ装置、及びノートブック型コンピュータ装置からなる群の一つから選択される、本願の第１発明に記載のユニバーサル・シリアル・バス（ＵＳＢ）標準電子装置用データ記憶カードである。
【０００８】
本願の第３発明は、プレーンＵＳＢモジュールは、回路ボード上に直接配される、本願の第１発明に記載のユニバーサル・シリアル・バス（ＵＳＢ）標準電子装置用データ記憶カードである。
【０００９】
本願の第４発明は、プレーンＵＳＢモジュールは、５つのホームセンタ（ｈｏｍｅｃｅｎｔｒｉｃ）サークルを有し、ＵＳＢ標準電子装置は、各々５つのホームセンタサークルに対応する、５つの電極を有するコネクタを備える、本願の第１発明に記載のユニバーサル・シリアル・バス（ＵＳＢ）標準電子装置用データ記憶カードである。
【００１０】
本願の第５発明は、５つのホームセンタサークルは、外側から内側へ配置されるＧＮＤ接点、Ｄ+接点、Ｄ-接点、ＶＢＵＳ接点、及びのＩＤ接点であり、且つ５つの電極は、ＧＮＤ電極、Ｄ+電極、Ｄ-電極、ＶＢＵＳ電極、及びＩＤ電極である、本願の第４発明に記載のユニバーサル・シリアル・バス（ＵＳＢ）標準電子装置用データ記憶カードである。
【００１１】
本願の第６発明は、プレーンＵＳＢモジュールは、５本のフィンガーを有し、ＵＳＢ標準電子装置は、各々、前記５本のフィンガーに対応する５つの電極を有するコネクタを備える、本願の第１発明に記載のユニバーサル・シリアル・バス（ＵＳＢ）標準電子装置用データ記憶カードである。
【００１２】
本願の第７発明は、前記５本のフィンガーは、ＧＮＤ接点、Ｄ+接点、Ｄ-接点、ＶＢＵＳ接点、及びＩＤ接点であり、且つ５つの電極は、ＧＮＤ電極、Ｄ+電極、Ｄ-電極、ＶＢＵＳ電極、及びＩＤ電極である、本願の第６発明に記載のユニバーサル・シリアル・バス（ＵＳＢ）標準電子装置用データ記憶カードである。
【００１３】
本願の第８発明は、前記記憶モジュールは、不揮発性メモリ、フラッシュメモリ、ＮＡＮＤフラッシュメモリ、ＮＯＲフラッシュメモリ、ＡＮＤフラッシュメモリ、マスクリードオンリメモリ（マスクＲＯＭ）、消去可能プログラマブルＲＯＭ（ＥＰＲＯＭ），電気的消去可能プログラマブルＲＯＭ（ＥＥＰＲＯＭ（登録商標）），ワンタイムプログラマブル（ＯＴＰ）メモリ、マルチタイムプログラマブル（ＭＴＰ）メモリ、スタティックランダムアクセスメモリ（ＳＲＡＭ）、ダイナミックランダムアクセスメモリ（ＤＲＡＭ），同期ダイナミックＲＡＭ（ＳＤＲＡＭ），ダブルデータレートダイナミックランダムアクセスメモリ（ＤＤＲ  ＤＲＡＭ）、ランダムアクセスメモリバスダイナミックランダムアクセスメモリ（ＲＡＭバスＤＲＡＭ）、磁気ランダムアクセスメモリ（ＭＲＡＭ）、ＲＡＭ  ＢＵＳ、及び強誘電体ランダムアクセスメモリ（ＦＲＡＭ（登録商標））からなる群の一つから選択される、本願の第１発明に記載のユニバーサル・シリアル・バス（ＵＳＢ）標準電子装置用データ記憶カードである。
【００１４】
本願の第９発明は、マイクロコントローラは、プレーンＵＳＢモジュールがＵＳＢ標準電子装置に正しく接続すると、記憶モジュールに記憶されたデータをＵＳＢ標準電子装置に送信するためのＵＳＢ／オンザゴー（ＯＴＧ）シリアルインターフェースエンジンを有する、本願の第１発明に記載のユニバーサル・シリアル・バス（ＵＳＢ）標準電子装置用データ記憶カードである。
【００１５】
本願の第１０発明は、プレーンＵＳＢモジュールがＵＳＢ標準電子装置に正しく接続すると記憶モジュールに記憶されたデータをＵＳＢ標準電子装置に送信するためのＵＳＢ／オンザゴー（ＯＴＧ）シリアルインターフェースエンジンを更に備える、本願の第１発明に記載のユニバーサル・シリアル・バス（ＵＳＢ）標準電子装置用データ記憶カードである。
【００１６】
本願の第１１発明は、プレーンＵＳＢモジュールに対応し、それを露出するための開口を有する、回路ボードを収容するためのカードハウジングを更に備える、本願の第１発明に記載のユニバーサル・シリアル・バス（ＵＳＢ）標準電子装置用データ記憶カードである。
【００１７】
本願の第１２発明は、前記カードハウジングは、書込み保護用のスイッチを備える、本願の第１１発明に記載のユニバーサル・シリアル・バス（ＵＳＢ）標準電子装置用データ記憶カード。
【００１８】
本願の第１３発明は、前記カードハウジングは、複数の位置決めされたスロトを備える、本願の第１１発明に記載のユニバーサル・シリアル・バス（ＵＳＢ）標準電子装置用データ記憶カードである。
【００１９】
本願の第１４発明は、前記カードハウジングは、ほぼ回路ボード全体を収容する、本願の第１発明に記載のユニバーサル・シリアル・バス（ＵＳＢ）標準電子装置用データ記憶カードである。
【００２０】
本願の第１５発明は、前記カードハウジングは、回路ボードの一方の側を被覆し、回路ボードの他方の側は、絶縁フィルムによって被覆される、本願の第１発明に記載のユニバーサル・シリアル・バス（ＵＳＢ）標準電子装置用データ記憶カードである。
【００２１】
本願の第１６発明は、プレーンＵＳＢモジュールの数は、２つ以上である、本願の第１発明に記載のユニバーサル・シリアル・バス（ＵＳＢ）標準電子装置用データ記憶カードである。
【００２２】
ユニバーサル・シリアル・バス（ＵＳＢ）標準電子装置用のデータ記憶カードは、カードハウジングと回路ボードを有する。カードハウジングは、開口を有する。データ記憶カードは、プレーンＵＳＢモジュールと、記憶モジュールと、マイクロコントローラと、を有する。プレーンＵＳＢモジュールは、ＵＳＢ標準電子装置との接続のために回路ボード上に対称的に形成される。プレーンＵＳＢモジュールは、開口に対応すると共にそこから露出される。記憶モジュールは、回路ボード上に設けられると共にデータを記憶するためにプレーンＵＳＢモジュールに接続される。マイクロコントローラは、回路ボード上に設けられると共に記憶モジュールとＵＳＢ標準電子装置との間で記憶モジュールのデータの読込み及び読出しを制御するために記憶モジュールに接続される。このように、記憶カードは、指定の挿入方向を必要とすることなくＵＳＢ標準電子装置に設けられる。
【００２３】
プレーンＵＳＢモジュールは、ＵＳＢ標準電子装置のコネクタへの接続のための５本のフィンガーを有する。或いは、プレーンＵＳＢモジュールは、ＵＳＢ標準電子装置のコネクタへの接続のための５つのホームセンタサークルを有し、プレーンＵＳＢモジュールの数は、２つ以上である。このように、指定の挿入方向の無いデザインがなされる。
【発明の効果】
【００２４】
本発明に係るユニバーサル・シリアル・バス標準電子装置用データ記憶カードは、他の従来品と比べて下記の利点がある。
【００２５】
＜１＞記憶カードは、指定の挿入方向を必要とすることなくＵＳＢ標準電子装置に設けられる。
【００２６】
＜２＞指定の挿入方向の無いデザインがなされる。
【発明を実施するための最良の形態】
【００２７】
本発明の利用可能性の更なる範囲は、以下で与えられる詳細な記述から明らかとなる。しかしながら、本発明の好適な実施の形態を示す、詳細な記述と指定の例は、単に例示のために示されているに過ぎないことを理解すべきであり、この詳細な記述から本発明の精神と範囲内での種々の変化や変更が当業者には明らかであるからである。
【実施例】
【００２８】
本発明の第１の実施の形態は、携帯電子装置、デジタルカメラ、コンピュータ装置、ノートブック型コンピュータ装置等のユニバーサル・シリアル・バス（ＵＳＢ）標準電子装置用のデータ記憶カードに関する。
【００２９】
図２が、本発明の第１の実施の形態の概略図、図３が本発明の第１の実施の形態の概略側面図、図４が、本発明の第１の実施の形態の概略平面図である。図２、図３及び図４を参照する。
本発明の第１の実施の形態は、カードハウジング２１と回路ボード２２を有する記憶カード２０である。カードハウジング２１は、回路ボード２２を収容するために使用され、カードハウジング２１は、開口２１１スイッチ２１２及び複数の位置決めされたスロット２１３を有する。スイッチ２１２は、書込み保護のために使用され、それによって、回路ボード２２に記憶されるデータは、偶然には消去されない。また、スイッチ２１２は、カードハウジング２１のエッジからは突出しない。位置決めされたスロット２１３は、カードハウジング２１のまわりに形成される。
【００３０】
回路ボード２２は、プレーンＵＳＢモジュール２２１、記憶モジュール２２２、マイクロコントローラ２２３、及びＵＳＢ／オンザゴー（ＯＴＧ）シリアルインターフェースエンジン２２４を有する。図２に示されるように、プレーンＵＳＢモジュール２２１は、対称的に回路ボード２２上に形成され、直接回路ボード２２上にある。プレーンＵＳＢモジュール２２１は、開口２１１に対応していると共にこの開口を介して露出される。プレーンＵＳＢモジュール２２１は、５本のフィンガー２２１１を有する。５本のフィンガー２２１１は、順次、ＧＮＤ接点、ＩＤ接点、Ｄ+接点、Ｄ-接点、及びＶＢＵＳ接点である。５本のフィンガー２２１１のＧＮＤ接点とＶＢＵＳ接点は、他の接点、即ち、ＩＤ接点、Ｄ+接点、Ｄ-接点よりも長い。ＵＳＢ標準電子装置３０は、図６に示されているように、５つの電極３１１を有するコネクタ３１を備える。電極３１１は、各々、５本のフィンガー２２１１に対応し、電極３１１は、ＧＮＤ電極、ＩＤ電極、Ｄ+電極、Ｄ-電極、及びＶＢＵＳ電極である。このように、プレーンＵＳＢモジュール２２１は、ＵＳＢ標準電子装置３０に接続する（図５を参照）。
【００３１】
記憶モジュール２２２は、回路ボード２２上に設けられ、データを記憶するためにプレーンＵＳＢモジュール２２１に接続される。記憶モジュール２２２は、不揮発性メモリ、フラッシュメモリ、ＮＡＮＤフラッシュメモリ、ＮＯＲフラッシュメモリ、ＡＮＤフラッシュメモリ、マスクリードオンリメモリ（マスクＲＯＭ）、消去可能プログラマブルＲＯＭ（ＥＰＲＯＭ）、電気的消去可能プログラマブルＲＯＭ（ＥＥＰＲＯＭ）、ワンタイムプログラマブル（ＯＴＰ）メモリ、マルチタイムプログラマブル（ＭＴＰ）メモリ、スタティックランダムアクセスメモリ（ＳＲＡＭ）、ダイナミックランダムアクセスメモリ（ＤＲＡＭ）、同期ダイナミックＲＡＭ（ＳＤＲＡＭ）、ダブルデータレートダイナミックランダムアクセスメモリ（ＤＤＲ  ＤＲＡＭ）、ランダムアクセスメモリバスダイナミックランダムアクセスメモリ（ＲＡＭバスＤＲＡＭ）、磁気ランダムアクセスメモリ（ＭＲＡＭ）、ＲＡＭ  ＢＵＳ、又は強誘電体ランダムアクセスメモリ（ＦＲＡＭ）である。マイクロコントローラ２２３は、回路ボード２２上に設けられ、記憶モジュール２２２とＵＳＢ標準電子装置３０との間での記憶モジュール２２２のデータの読込みと読み出しを制御するために記憶モジュール２２２に接続される。ＵＳＢ／ＯＴＧシリアルインターフェースエンジン２２４は、プレーンＵＳＢモジュール２２１がＵＳＢ標準電子装置３０に正しく接続されると、マイクロコントローラ２２３を介して記憶モジュール２２２に記憶されたデータをＵＳＢ標準電子装置３０へ送信するために使用される。更に、ＵＳＢ／ＯＴＧシリアルインターフェースエンジン２２４は、マイクロコントローラ２２３に一体化されてもよい。
【００３２】
図６を参照すると、記憶カード２０は、ＵＳＢ標準電子装置３０に配置されており、位置決めされたスロット２１３によって位置決めされる。プレーンＵＳＢモジュール２２１が、直接に回路ボード２２上に置かれるので、開口２１１を介するデータへのアクセスのために直接コネクタに接続し、回路ボード２２上でのプレーンＵＳＢモジュール２２１の処理コストが少なくなる。５本のフィンガー２２１１は、各々、５つの電極３１１に接触し、５本のフィンガー２２１１の内のＧＮＤ接点とＶＢＵＳ接点が他のフィンガー２２１１よりも長いので、より長いフィンガー２２１１が接触する５つの電極３１１は、事前に挿入信号を得る。従って、記憶カード２０は、突出され衝撃に曝される代わりに、ＵＳＢ標準電子装置３０に挿入される。また、ＵＳＢモジュール２２１のサークルデザインは、記憶カード２０の挿入方向を指定することなく、記憶カード２０の寿命を延長する。
【００３３】
勿論、カードハウジング２１が回路ボード２２をほぼ全て収容する代わりに、カードハウジング２１が、回路ボード２２の設けられたエレメントを保護するために回路ボード２２の一方の側のみを被覆し、回路ボード２２の他方の側が絶縁フィルム（図示せず）によって被覆されるように変更されても良い。
【００３４】
本発明の第２の実施の形態は、携帯電子装置、デジタルカメラ、コンピュータ装置、ノートブック型コンピュータ装置等のユニバーサル・シリアル・バス（ＵＳＢ）標準電子装置用のデータ記憶カードに関する。
【００３５】
図７、８及び９を参照する。本発明の第２の実施の形態は、カードハウジング２１と回路ボード２２を有する記憶カード２０を示す。カードハウジング２１は、回路ボード２２を収容するために使用され、カードハウジング２１は、開口２１１スイッチ２１２及び複数の位置決めスロット２１３を有する。スイッチ２１２は、書込み保護のために使用され、それによって、回路ボード２２に記憶されるデータは、偶然には消去されない。また、スイッチ２１２は、カードハウジング２１のエッジからは突出しない。位置決めされたスロット２１３は、カードハウジング２１の回りに形成される。
【００３６】
回路ボード２２は、プレーンＵＳＢモジュール２２１、記憶モジュール２２２、マイクロコントローラ２２３、及びＵＳＢ／オンザゴー（ＯＴＧ）シリアルインターフェースエンジン２２４を有する。図７に示されるように、プレーンＵＳＢモジュール２２１は、対称的に回路ボード２２上に形成され、直接回路ボード２２上にある。プレーンＵＳＢモジュール２２１は、開口２１１に対応していると共にこの開口を介して露出される。プレーンＵＳＢモジュール２２１の各々は、５つのホームセンタサークル２２１２を有する。５つのホームセンタサークル２２１２は、外側から内側に向かって順次配されるＧＮＤ接点、Ｄ+接点、Ｄ-接点、ＶＢＵＳ接点、及びＩＤ接点である。図１０に示されるように、ＵＳＢ標準電子装置３０は、５つの電極３１１を有するコネクタ３１を備える。電極３１１は、各々、５つのホームセンタサークル２２１２の対応し、電極３１１は、ＧＮＤ電極、Ｄ+電極、Ｄ-電極、ＶＢＵＳ電極、及びＩＤ電極である。このように、プレーンＵＳＢモジュール２２１は、ＵＳＢ標準電子装置３０に接続する（図５を参照）。
【００３７】
記憶モジュール２２２は、回路ボード２２上に設けられ、データを記憶するためにプレーンＵＳＢモジュール２２１に接続される。記憶モジュール２２２は、不揮発性メモリ、フラッシュメモリ、ＮＡＮＤフラッシュメモリ、ＮＯＲフラッシュメモリ、ＡＮＤフラッシュメモリ、マスクリードオンリメモリ（マスクＲＯＭ）、消去可能プログラマブルＲＯＭ（ＥＰＲＯＭ）、電気的消去可能プログラマブルＲＯＭ（ＥＥＰＲＯＭ）、ワンタイムプログラマブル（ＯＴＰ）メモリ、マルチタイムプログラマブル（ＭＴＰ）メモリ、スタティックランダムアクセスメモリ（ＳＲＡＭ）、ダイナミックランダムアクセスメモリ（ＤＲＡＭ）、同期ダイナミックＲＡＭ（ＳＤＲＡＭ）、ダブルデータレートダイナミックランダムアクセスメモリ（ＤＤＲ  ＤＲＡＭ）、ランダムアクセスメモリバスダイナミックランダムアクセスメモリ（ＲＡＭバスＤＲＡＭ）、磁気ランダムアクセスメモリ（ＭＲＡＭ）、ＲＡＭ  ＢＵＳ、又は強誘電体ランダムアクセスメモリ（ＦＲＡＭ）である。マイクロコントローラ２２３は、回路ボード２２上に設けられ、記憶モジュール２２２とＵＳＢ標準電子装置３０との間での記憶モジュール２２２のデータの読込みと読み出しを制御するために記憶モジュール２２２に接続される。ＵＳＢ／ＯＴＧシリアルインターフェースエンジン２２４は、プレーンＵＳＢモジュール２２１がＵＳＢ標準電子装置３０に正しく接続されると、マイクロコントローラ２２３を介して記憶モジュール２２２に記憶されたデータをＵＳＢ標準電子装置３０へ送信するために使用される。更に、ＵＳＢ／ＯＴＧシリアルインターフェースエンジン２２４は、マイクロコントローラ２２３に一体化されてもよい。
【００３８】
記憶カード２０は、ＵＳＢ標準電子装置３０に配置されており、位置決めされたスロット２１３によって位置決めされる。プレーンＵＳＢモジュール２２１が、直接、回路ボード２２上に置かれるので、開口２１１を介するデータへのアクセスのために直接コネクタに接続し、回路ボード２２上でのプレーンＵＳＢモジュール２２１の処理コストが少なくなる。５つのホームセンタサークル２２１２は、各々、５つの電極３１１に接触する。従って、記憶カード２０は、突出され衝撃に曝される代わりに、ＵＳＢ標準電子装置３０に挿入される。また、ＵＳＢモジュール２２１のサークルデザインは、記憶カード２０の挿入方向を指定することなく、記憶カード２０の寿命を延長する。
【００３９】
勿論、カードハウジング２１が回路ボード２２をほぼ全て収容する代わりに、カードハウジング２１が、回路ボード２２上に設けられたエレメントを保護するために回路ボード２２の一方の側のみを被覆し、回路ボード２２の他方の側が絶縁フィルム（図示せず）によって被覆されるように変更されても良い。
【００４０】
このように記述された本発明を知ることによって、本発明が多くの方法で変更され得ることは明らかである。このような変更は、本発明の精神と範囲から離れているとは見なされるべきではなく、全てのこのような変更は、当業者にとって自明であるので、添付の特許請求の範囲内に含まれることが意図されている。
【図面の簡単な説明】
【００４１】
【図１】従来のＵＳＢカードの概略図である。
【図２】本発明の第１の実施の形態の概略図である。
【図３】本発明の第１の実施の形態の概略側面図である。
【図４】本発明の第１の実施の形態の概略平面図である。
【図５】本発明の第１の実施の形態のブロック図である。
【図６】本発明が電子装置に接続している時の本発明の第１の実施の形態の概略図である。
【図７】本発明の第２の実施の形態の概略図である。
【図８】本発明の第２の実施の形態の概略側面図である。
【図９】本発明の第２の実施の形態の概略平面図である。
【図１０】本発明が電子装置に接続している時の本発明の第２の実施の形態の概略図である。
【符号の説明】
【００４２】
２０      記憶カード
２１      カードハウジング
２１１    開口
２１２    スイッチ
２１３    スロット
２２      回路ボード
２２１    プレーンＵＳＢモジュール
２２１１  フィンガー
２２２    記憶モジュール
２２３    マイクロコントローラ
２２４    ＵＳＢ／オンザゴー（ＯＴＧ）シリアルインターフェースエンジン
３０      ＵＳＢ標準電子装置
３１      コネクタ
３１１    電極
【図１】
2006216010.tif 000003
【図２】
2006216010.tif 000004
【図３】
2006216010.tif 000005
【図４】
2006216010.tif 000006
【図５】
2006216010.tif 000007
【図６】
2006216010.tif 000008
【図７】
2006216010.tif 000009
【図８】
2006216010.tif 000010
【図９】
2006216010.tif 000011
【図１０】
2006216010.tif 000012